(57)【要約】  本発明は、閉位置において下に位置する収納スペース（２）を閉鎖し、開位置においてこれを開く開閉式カバー（３）を有する、自動車のセンターコンソール（１）に関する。  移動機構（４）を介してカバー（３）の快適な移動が可能であり、移動機構（４）は、開く時にはカバー（３）を先ず持ち上げ、且つ後方に移動し、次いで上方に旋回させるように形成されている。
2015501256.tif 000002
【特許請求の範囲】
【請求項１】
閉位置において下に位置する収納スペース（２）を閉鎖し、開位置においてこれを開く開閉式カバー（３）を有する自動車のセンターコンソール（１）であって、
前記カバー（３）を開位置と閉位置との間で移動して開くための移動機構（４）が設けられ、該移動機構（４）が、開く時には前記カバー（３）を先ず持ち上げ、且つ後方に移動し、次いで上方に旋回させるように形成されることを特徴とするセンターコンソール。
【請求項２】
請求項１に記載のセンターコンソールであって、
前記移動機構（４）が、平行四辺形の２対の支持体（６）を介して前記センターコンソール（１）に連結されるガイドキャリッジ（５）を有することを特徴とするセンターコンソール。
【請求項３】
請求項２に記載のセンターコンソールであって、
前記カバー（３）が、後側でピボット（７）を介して前記ガイドキャリッジ（５）上で旋回できるように取り付けられることを特徴とするセンターコンソール。
【請求項４】
請求項１から３の一項に記載のセンターコンソールであって、
前記収納スペース（２）には、２つの、特に取り出し可能な、ドリンクホルダ（８）が設けられることを特徴とするセンターコンソール。
【請求項５】
請求項１から４の一項に記載のセンターコンソールであって、
走行方向（１０）において前記カバー（３）の前方には、中央制御ユニット（１１）、灰皿、更に別の収納スペース（２’）、及び／又は更に別のドリンクホルダ（８’）が配置されることを特徴とするセンターコンソール。
【請求項６】
請求項１から５の一項に記載のセンターコンソール（１）を備える自動車。
【発明の詳細な説明】
【技術分野】
【０００１】
本発明は、閉位置において下に位置する収納スペースを閉鎖し、開位置においてこれを開く開閉式カバーを有する、請求項１のプリアンブルに記載の自動車のセンターコンソールに関する。本発明は更に、かかるセンターコンソールを備える自動車に関する。
【背景技術】
【０００２】
特許文献１から、周知のように後方に折り畳み可能なカバーを有するこの種の自動車のセンターコンソールが既知である。
【先行技術文献】
【特許文献】
【０００３】
【特許文献１】米国特許第４、８４８、６２７号
【発明の概要】
【発明が解決しようとする課題】
【０００４】
既知のセンターコンソールの欠点は、カバーを完全に開いた場合だけしか下に配置された収納スペースにうまくアクセスできず、しかも完全に開いた場合でも特に身体障害者には困難が伴うことにある。下に位置する収納スペースを開閉するために、完全に自動車の縦方向だけにスライド可能なカバーはあるが、この場合でもその機能は純然たるスライド運動に限定される。
【０００５】
従って本発明は、この種のセンターコンソールの特に向上した機能性を有する改良型の実施形態を提供するという課題に関するものである。
【課題を解決するための手段】
【０００６】
この課題は、本発明により独立クレームの主題によって解決される。有利な実施形態は従属クレームの主題である。
【０００７】
本発明は、平行なスライド運動と旋回運動との組み合わせが可能であり、それによって従来は純然たる平行移動が可能な、又は純然たる旋回運動だけが可能なカバーでは実現できないような、センターコンソール内の収納スペースを閉鎖可能にするセンターコンソール内の収納スペースを閉鎖するカバーを移動させる完全に新規な移動機構を提供するという基本概念に基づくものである。本発明による移動機構は、カバーが開く時に先ず軽く持ち上がり且つ後方に移動し、次に上方に旋回するように形成される。それによって、移動機構が先ず走行方向とは反対側の後方に実質的に平行なスライド運動を可能にし、それによって下に位置する収納スペースの前部領域に配置されたドリンクホルダを開放するという大きな利点が得られる。それによって、本発明による移動機構により先ず実質的に純然たるスライド運動を介して、及びその後に続く回転運動を介してカバーを開くことが可能になる。その際、カバーの運動は例えば適宜なラッチ部材を介して調整できるため、本発明によるカバーは閉位置と完全な開位置との間のあらゆる中間位置でも安全に保持される。
【０００８】
好適には、移動機構は平行四辺形の２対の支持体を介してセンターコンソールに連結されるガイドキャリッジを備えている。そのため平行四辺形の２対の支持体によって、カバーは軽く持ち上げられるだけだが、後方に実質的に平行移動される第１の開段階と、第１の開段階に続き、カバーが従来から知られている折り畳み運動を行い、それによって下に位置する収納スペースを完全に開く第２の開段階とが可能になる。本発明によるガイドキャリッジは構造が比較的簡単であり、ひいては低コストでもあるため、本発明による移動機構は簡単なだけではなく低コストで提供可能である。
【０００９】
本発明による解決策の有利な発展形態では、収納スペース内に特に取り外し可能な２つのドリンクホルダが備えられる。両方のドリンクホルダがあることによって、２つのドリンクカップを同時に保管することができ、その際、本発明によるドリンクホルダは通常はカバーで閉鎖可能な収納スペースの前部領域に配置される。本発明によるドリンクホルダが取り外し可能な構成によって、使用しない場合はこれを簡単に取り外すことによって収納スペースのスペースを拡大することができる。移動機構によって、両方のドリンクホルダに簡単に手が届き、ひいてはドリンクをドリンクホルダに保存できるようになるまで第１の開段階にあるカバーを後方に移動させることが可能であり、一方、残りの収納スペースはカバーで閉鎖されないため、同時にドライバー又は同乗者のアームレストをも形成する。基本的に第１の開段階にあるカバーをスライド可能に据え付けることで別の乗員にも適応できるため、乗員は常に快適であるようにアームレストを簡単に調整可能である。
【００１０】
好適には、走行方向においてカバーの前方には中央制御ユニット、灰皿及び／又は別のドリンクホルダが配置される。本発明によるカバー及びそれに付属する移動機構によって特に、中央制御ユニットを更に前方に、ひいては人間工学的に明らかにより好ましい位置に配置することが可能である。その上、本発明によるセンターコンソールによって、例えば後部空調装置などの後部ノズル及び収納ポケット又は灰皿などの必要な要素全体を後部領域に備えることが可能になる。
【００１１】
本発明の更なる重要な特徴及び利点は、従属クレーム、図面、及び図面を参照した関連する図面の説明から明らかになる。
【００１２】
上記の、及び以下に説明する特徴は、それぞれ示される組み合わせだけではなく、本発明の範囲を逸脱せずに別の組み合わせ又は単独でも利用できることが理解されよう。
【００１３】
本発明の好適な実施例を図示し以下の記述でより詳細に説明する。その際、同一の参照符号は同一の、又は同類の、又は機能的に同一の部品を示す。
【図面の簡単な説明】
【００１４】
【図１】カバーによって閉鎖される収納スペースを有する、本発明によるセンターコンソールの概略図である。
【図２】第１の開段階にあるカバーの概略図である。
【図３】図２と同様であるが、調整可能なドリンクカップを示す図である。
【図４】第２の開段階、すなわち収納スペースが完全に開かれたカバーの概略図である。
【発明を実施するための形態】
【００１５】
図１から４に示すように、その他の部分は図示しない自動車のセンターコンソール１は、その上に位置するカバー３によって閉鎖可能な収納スペース２（図２から４を参照）を備えている。本発明によれば、カバーを開位置（図１を参照）と閉位置（図４を参照）との間で移動して開くための移動機構４であって、移動機構４は、開く時にはカバー３を先ず軽く持ち上げ、且つ後方に移動し（図２及び３を参照）、次いで上方に旋回させる（図４を参照）ように形成されている。このようにカバー３の開く運動は２つの開段階、すなわちカバー３が軽く持ち上げられ、あるいは単に後方にスライドされる図２及び３に示す第１の開段階と、カバー３が上方に旋回される図４に示す第２の開段階とに区分される。
【００１６】
本発明による移動機構４は、平行四辺形の２対の支持体６を介してセンターコンソール１に連結されるガイドキャリッジ５を具備している。したがって、図２及び３に示す第１の開段階ではガイドキャリッジ５は平行四辺形の両方の支持体６を介して単に上方に軽くスライドされ、あるいは後方にのみスライドされる。カバー３の後側は、図４から明確に分かるようにヒンジ７を介してガイドキャリッジ５上で旋回できるように取り付けられる。
【００１７】
図３及び４を見ると、収納スペース２には２つのドリンクカップ９（図３及び４を参照）を同時に保管できる２つのドリンクホルダ８が備えられることが分かる。ドリンクホルダ８は好適には取り外し可能に形成されているため、ドリンクホルダ８を取り外せば収納スペース２の収容容積を拡大することができる。
【００１８】
走行方向１０から見ると、カバー３の前には中央制御ユニット１１、灰皿、更に別の収納スペース２’、及び／又は更に別のドリンクホルダ８’を配置することができる。勿論、更に別のドリンクホルダ８’を取り外し可能に形成することができ、それによって更に別の収納スペース２’の容積を自発的な小物入れとして拡大することができる。更に、収納スペース２内に配置された両方のドリンクホルダ８だけを備えることによって、更に別の収納スペース２’用のスペースを、例えばオーディオ又はビデオ機器などの更に別の操作要素用に使用することも考えられる。実質的に空いている収納スペース２、２’に対応するいわゆる「自発的な小物入れ」を備えることも特に有利である。
【００１９】
本発明による移動機構４によって、特に中央制御ユニット１１を更に前方に配置し、ひいては人間工学的により好適にすることが可能である。第１の開段階にあるカバー３を平行にスライドできることによって更に、適宜なラッチを設けると、例えば図２及び３に示すように収納スペース２の一部だけを開くことが考えられる。自動車のドライバー又は同乗者は、走行方向１０又はその反対側にカバー３を適宜に配置することによって、快適なアームレストを作り出すこともできる。本発明によるカバー３を移動するための移動機構４では、カバーが第１の開段階（図２及び３を参照）で収納スペース２の残りの部分を覆い、両方のドリンクホルダ８だけを開くことで、ドライバー又は同乗者がそれぞれのドリンクカップ９を関連するドリンクホルダ８内に簡単に保管でき、又はドリンクホルダから取り出し、その際に前腕又は肘でカバー３を支えることができることが特に有利である。
【００２０】
本発明による移動機構４は更に、構造的に簡単で低コストで製造できるため、僅かな追加コストで本発明により得られる付加価値を達成可能である。
【図１】
2015501256.tif 000003
【図２】
2015501256.tif 000004
【図３】
2015501256.tif 000005
【図４】
2015501256.tif 000006
【手続補正書】
【提出日】平成26年6月23日(2014.6.23)
【手続補正１】
【補正対象書類名】特許請求の範囲
【補正対象項目名】全文
【補正方法】変更
【補正の内容】
【特許請求の範囲】
【請求項１】
閉位置において収納スペース（２）を閉鎖し、開位置においてこれを開く開閉式カバー（３）を有する自動車のセンターコンソール（１）であって、
前記カバー（３）を開位置と閉位置との間で移動して開くための移動機構（４）が設けられ、前記移動機構（４）が、開く時には前記カバー（３）を先ず持ち上げ、且つ後方に移動し、次いで上方に旋回させるような、平行四辺形の２対の支持体（６）を介して前記センターコンソール（１）に連結されるガイドキャリッジ（５）を有することを特徴とするセンターコンソール。
【請求項２】
請求項１に記載のセンターコンソールであって、
前記カバー（３）が、後側でピボット（７）を介して前記ガイドキャリッジ（５）上で旋回できるように取り付けられることを特徴とするセンターコンソール。
【請求項３】
請求項１または２に記載のセンターコンソールであって、
前記収納スペース（２）には、２つの、特に取り出し可能な、ドリンクホルダ（８）が設けられることを特徴とするセンターコンソール。
【請求項４】
請求項１から３の一項に記載のセンターコンソールであって、
走行方向（１０）において前記カバー（３）の前方には、中央制御ユニット（１１）、灰皿、更に別の収納スペース（２’）、及び／又は更に別のドリンクホルダ（８’）が配置されることを特徴とするセンターコンソール。
【請求項５】
請求項１から４の一項に記載のセンターコンソール（１）を備える自動車。
【国際調査報告】
2015501256.tif 000007
2015501256.tif 000008
2015501256.tif 000009
2015501256.tif 000010
2015501256.tif 000011
2015501256.tif 000012